(57)【要約】【課題】病院食や離乳食などの流動食を容器から少量ずつ掬って食べさせる作業は負担が大きい。そこで本願では、筒状柄部の先端部に設けたスプーン状の皿部に流動食を均一且つスムーズに供給して摂食作業を容易にするとともに、食感や味の変化が認識できる喫食用具を提供することを目的とする。【解決手段】  上記課題を解決するために本願では、円筒部先端に皿状凹部を延設し、円筒部内部の長尺方向に二以上の仕切りを設け、食物を充填した袋の供給口に螺合させるネジ溝を円筒部の接続側端部内側面に形成するのである。また、食物がスムーズに皿上に滞留するように皿状凹部周縁に樋状溝を設けて食物を誘導するのである。さらに、皿状凹部がテーブルなどの天板に接触しないように円筒部底面に載置用突起部を設ける。また、一端が皿状凹部への供給口となる、二以上の筒状体を円筒部内部に収納し、他端を食物充填袋に連結する。【選択図】図１
2018068990.tif 000002
【特許請求の範囲】
【請求項１】
長尺方向に二以上に仕切られたノズル先端に皿状凹部を延設したことを特徴とする喫食用具。
【請求項２】
ノズル基端部内側にネジ溝を設けたことを特徴とする請求項１記載の喫食用具。
【請求項３】
皿状凹部の周縁に樋状溝を設けたことを特徴とする請求項１又は２記載の喫食用具。
【請求項４】
ノズル先端に皿状凹部を延設した喫食用具であって、二以上の筒状体をノズル内部に収納したことを特徴とする喫食用具。
【請求項５】
皿状凹部の周縁に樋状溝を設けたことを特徴とする請求項４記載の喫食用具。
【請求項６】
ノズルの外周面に載置用の突起を設けたことを特徴とする請求項１ないし請求項５のいずれかに記載の喫食用具。
【発明の詳細な説明】
【技術分野】
【０００１】
本発明は、喫食用具の改良に関する発明であって、より詳しくは、高齢者や病人、幼児等に食事をさせるときに適した先端部がスプーン状になった喫食用具に関するものである。
【背景技術】
【０００２】
従来から、高齢者や病人、乳幼児等が飲食する際に使用するスプーン状の喫食用具の提案がなされている。
【０００３】
摂食、嚥下機能が衰えた場合、症状に応じた粘度に形成された食事が提供される。また、手術前後の入院患者等を対象とした病院食は消化しやすいように粒状あるいはペースト状さらに粘度の低い流動食などが提供される。また、乳幼児には月齢に応じた状態の離乳食が与えられる。
【０００４】
このとき使用されるのが先端部がスプーン状になった喫食用具である。
【先行技術文献】
【特許文献】
【０００５】
【特許文献１】特開２００２-１１４２５７号公報
【特許文献２】特開２００４-９９１６３号公報
【特許文献３】実用新案登録第３１８６６９６号公報
【特許文献４】実開平０７-２４３３９号公報
【発明の概要】
【発明が解決しようとする課題】
【０００６】
従来、流動性食物やペースト状の食物を摂食する場合にはスプーンが使用されている。自らスプーンを把持して食事する場合であっても介助者が食事をさせる場合であっても器に入れられた食物をスプーンですくって口元まで運ぶ動作が必要となる。この行為がうまくできなくて食物をこぼしたり、介助者にとっても負担が大きい。また、一度口に入れたスプーンを何度も器に入れるために食物が残っても衛生面から廃棄されることが多い。そこで、食物の入った器と口との往復動作を省くことを目的とした喫食用具が種々考案されている。
【０００７】
特許文献１のスプーン付きチューブはチュープに入った食品をチューブ先端部に取り付けたスプーンの上に絞り出して食するものであるが、チューブの吐出口はスプーンの上方に位置するため、吐出口から押し出された食品がスプーン上に落下しその場所で滞留するためスプーン全体に均一に広がらない。
【０００８】
特許文献２の発明は、離乳食が入ったシリンダー容器やチューブ先端に穴あきスプーン型キャップを取り付けたものだが、キャップには吐出口が設けられているだけなので離乳食がスプーン上にスムーズに供給されにくい。
【０００９】
特許文献３の飲食用スプーンは手でつかむための柄に空洞部を形成し当該空洞部に収容した液状体を押圧棒で、柄と供給穴で連結した皿上部へ押し出して乳幼児に飲食させるものであるが、押圧棒を必要とするうえ、供給口が小さいため収容物が液状体に限られる。特許文献４の発明は押し出し機構を有する容器の先端に凹部を形成し、凹部の上位に一以上の吐出口を設けた離乳食用容器であるが、容器内の食物の供給口からスムーズに食物が
押し出されにくい。
【００１０】
通常の食事ができない高齢者や病人などには流動食やペースト状の食事が供給されるが、食品の入った器からスプーンで食品を掬っては口へと運ぶ往復作業軽減のために上述のような喫食用具が開発されている。しかしながら、いずれの発明においてもスプーンの上にスムーズに食品を供給する工夫がなされていない。さらに、非介助者にとってほとんど唯一の楽しみである食事で満足感を与える工夫については全くなされていないのが現状である。
【００１１】
食事は単に必要な栄養を摂取する儀式ではなく、誰にとっても楽しみであるべきであり、食事をしているという実感を脳が認識して初めて消化酵素が分泌される等健康維持のためにも食事の質の向上が望ましい。
【００１２】
そこで本願ではスプーン状の皿に流動食を均一にスムーズに供給して摂食作業を容易にするとともに、食感や味の変化が認識できる喫食用具を提供することを目的とする。
【課題を解決するための手段】
【００１３】
上記課題を解決するために本願では、ノズル先端に皿状凹部を延設し、ノズル内部の長尺方向に二以上の仕切りを設けるのである。また、食物を充填した袋の供給口に螺合させるネジ溝をノズル基端部内側面に形成するのである。
【００１４】
また、食物がスムーズに皿上に滞留するように皿状凹部周縁に樋状溝を設けて食物を誘導するのである。
【００１５】
ノズル底面に載置用突起部を設け、皿状凹部がテーブルなどの天板に接触しないようにするのである。
【００１６】
二以上の筒状体をノズル内部に収納し、一端は皿状凹部への供給口とし、各他端それぞれを食物充填袋に連結するのである。
【発明の効果】
【００１７】
本願発明の喫食用具を食物が充填された袋に取り付けるだけで、高齢者や病人が容易に食事を食べる事ができると共に、介助者や母親などの労力を軽減することができる。
スプーン上に食物をスムーズに均一に供給できる。しかも皿上に形成した樋状の溝が物理的な障壁となって流動食がそれ以上先へ溢れることを防ぐのである。
【００１８】
器の食物に何度もスプーンを差し込み、掬い取るという行為がなくなるため衛生的且つ、残った食物を保存可能である。食材を充填した透明な袋に容量の目盛りを付しておくと摂取した食事の量が認識容易である。
【００１９】
ポリプロピレン等の耐久性、耐熱性に優れた素材で形成すると洗浄、消毒が可能で常に衛生的な状態を保つことができる。低コストで製造ができるため使い捨て可能で廃棄も容易である。
【００２０】
喫食用具の底面に突起を形成したため、口をつける皿状凹部をテーブルに非接触状態で載置できる。
【００２１】
ノズル内に筒状体を複数収納して、縦方向の二層構造、又は横方向の二層、三層構造とすると、異なる食材、異なる状態（ペースト状、液状、粒状）の食材を同時に皿状凹部に押し出すことができる。例えば上方の筒状体からペースト状の刺身、下方の筒状体から粒
状の酢飯を押し出し、皿上で二層に合体させることで、柔らかい寿司状の食物を食することができ、口に含んだときに食材本来の味や食感を楽しむことができ、食事の質の向上に資する。
【００２２】
食事の質が向上すると、食欲がわくとともに脳内ホルモンも分泌されるので回復を早め、健康に資することができる、何よりも食事によって人間らしい幸福感を得ることができる。
【００２３】
取り付け部とノズル、皿状凹部から構成されるため、取り付け容易且つ軽量コンパクトであるため、保管、持ち運びに便利である。長期保存の食品充填袋と共に保管すると災害時の非常食として有用である。
【図面の簡単な説明】
【００２４】
【図１】本願の喫食用具の一の実施例を示した説明図である。
【図２】食品を充填した袋に本願の喫食用具を取り付けた状態を示した説明図である。
【図３】本願の喫食用具を横方向から見た説明図である。
【図４】本願の喫食用具の他の実施例を示した説明図である。
【発明を実施するための形態】
【００２５】
次に本願発明の最適な実施形態について図を参照しながら詳説する。
【００２６】
図１は本発明の第一の実施形態に係る喫食用具１の斜視図であって、喫食用具１の一端はその外観において一般的なスプーン状凹部となっており、絞り出された食材が滞留する皿部２となる。皿部２は使用目的、すなわち大人用、幼児用、あるいは液状体、粒状体等食材の粘度等によってその大きさや深さが調整される。一方、皿部２から延設された円筒部３は食材が通過するノズル３であって、この実施形態においてノズル３内部は三つに仕切られている。ノズル３の皿部２側端部は上方に向けて略楕円形状に斜めに切欠されており、供給口を広く設けてよりスムーズな食物の押し出しを可能とする。
【００２７】
ノズル３の基端部３aの内側面にはネジ溝が切られており、食材を充填した合成樹脂製の袋６の絞り出し口７に螺合させて取り付けることができる（図３）。
ノズル内部の仕切りは筒状であって、中央の筒状体５の左右に筒状体５の半分程度の径の筒状体４−４が形成されている。
【００２８】
図３の食材を充填した袋６の絞り出し口７のキャップを外して開封後、本願の喫食用具１を取り付け、袋６を押圧して流動食を絞り出すと、流動食はノズル内の仕切りに導かれて皿上に絞り出されてくる。大きな径の筒状体５から多めに絞り出された食材が左右の筒状体4-4から絞り出された食材に周囲を取り囲まれるようにして皿上に押し出されてくるため、一か所に滞ることなく所望量が均一且つスムーズに皿上に供給されるのである。
【００２９】
さらに、図１のように皿部２の外周面に添って樋状の凹部２aを設けることでこれがガイド溝となってそれぞれの筒状仕切りから押し出された食材が皿の上にスムーズに供給されるのである。
【００３０】
図２に示すように喫食用具１の底面に突起８を形成すると、口腔内に入れる皿部２をテーブルなどの天面に非接触状態に保持することができ衛生的である。この突起形状については図示した形状に限定されるものではなく、図のように皿部２を清潔に保てることが実現できれば良い。
【００３１】
この実施形態ではノズル内に筒状仕切りを設けているが、設けない場合であってもノズルがガイドとなりまた、供給口を斜めに切り欠くことで食物を皿部にスムーズに押し出し滞留させることができるのである。
【００３２】
ここで、喫食用具１の素材であるが、柔軟性を有するシリコンゴム製、ポリプロピレン製などが考えられるが耐熱性を有するほうが好ましい。洗浄容易且つ高温消毒が可能で常に衛生的に保つことができるからである。また、一回限りの使用で使い捨てとしても良い。この場合は適度な強度、剛性が有れば十分であると考えられるため、低コストでの製造が可能である。
【００３３】
喫食用具の素材や、ノズルの大きさや皿部の大きさ、深さなど他の構成においても本願の趣旨を逸脱しない範囲で種々の変更が可能である。
【００３４】
続いて、本願発明の第２の実施形態について図４を参照しながら説明する。
【００３５】
喫食用具９は円筒状ノズル１０の一端にスプーン状の皿部１１を延設し、円筒状ノズル１０内に二本の筒状体１２、１３を収納して成る。
円筒状ノズル１０では二本の筒状体１２、１３が上下二層に連結されており、筒状体１２、１３の皿部側端部１２a、１３aは密接した状態にある。一方、ノズル１０から突出した各端部１２b、１３ｂは離間した状態にある。他端部１２b、１３bの内側面にはネジ溝が切られており、１２bを食物を充填した袋１４の供給口１４aに、１３bを袋１５の供給口１５aに螺合して取り付ける。
【００３６】
すなわち、この実施例においては完全に分離した状態の二本の筒状体が円筒状ノズル１０で連結した構成となっているのである。
【００３７】
喫食用具１０は上述の構成を有するために使用者に質の高い食事を提供することができる。例えば、二層構造の上の層を形成する筒状体１２を連結する袋１４にはペースト状のマグロの刺身が充填されており、一方、下の層を形成する筒状体１３を連結する袋１５には柔らかく炊かれ、粒状となった酢飯が充填されている。両方の袋から絞り出された食材は別々の筒状体を通って皿上で二層になって押し出されてくる。
【００３８】
このように、異なる粘度の異なる食材が食べる直前に皿上で合体することで、使用者は、上の歯でマグロの刺身を噛み切るような食感と味を楽しみ、下の歯や下で酢飯の味や食感を楽しみ、あたかもマグロの寿司を食しているような感覚を楽しむことができるのである。あらかじめ、食器の中で混ぜられ味も食感も認識できないような状態だった流動食では得られなかった深い満足感を得ることができるのである。
【００３９】
人間が受ける情報の８０％が視覚によるものとされており、食事の際の料理の見た目の重要さについては論を待たない。本願では味覚や口腔内の触感は勿論視覚への刺激が脳への刺激を促し、満足感や幸福感を得ることができるのである。
【００４０】
寿司以外には、カスタードプリンとカラメルソース、カレーのルーと米などの料理が考えられる。
【００４１】
二層構造以外には例えば三層構造として、ペースト状のパンの間にハムやトマトなどを挟んだサンドイッチ状の食事を提供することができ、個々の食材の味や食感を認識できる、通常の料理に極めて近い状態の食事が楽しめるのである。
【００４２】
一方で病院食を提供する側や介助者は二層構造の料理を一つ一つ作る手間や、何度も食
材を掬って非介助者の口元へと運ぶ手間が省けるのである。
【００４３】
筒状体と食材充填袋等との連結方法は、ネジ溝による螺合に限定されるものではなく、例えば二分割されたリング状締め付け具を使用することも可能である。
【００４４】
また、食品を充填した袋にメモリを付しておくと、摂食した量が一目瞭然となりまた、筒状体を外して元のキャップで蓋をすることで残りの食材を衛生的に保存しておくことができるのである。
【００４５】
複数の筒状体のノズルへの装填はねじ込み式でもよいし、円筒形ノズルをヒンジなどを使用して軸方向に開閉自在に形成すると、装填作業が迅速かつ容易となるのである。
【産業上の利用可能性】
【００４６】
本願発明は、病人、高齢者、乳幼児等通常の食事ができない者や一人で食事が困難な者へ食事を提供する際の喫食用具として利用することができるのである。
【符号の説明】
【００４７】
１、９、喫食用具
２、皿部
２a、樋状溝
３、ノズル
４、５、筒状体
６、食材充填袋
７、供給口
８、突起
【図１】
2018068990.tif 000003
【図２】
2018068990.tif 000004
【図３】
2018068990.tif 000005
【図４】
2018068990.tif 000006
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
接続側の端部に食材を充填した袋が接続される円筒部を備えた喫食用具であって、
円筒部の内部は長尺方向に二以上の筒状体に仕切られており、
円筒部の先端部に延設した皿状凹部の周縁に筒状体の開口部と連通する樋状溝を設けるとともに、円筒部の先端部を上方向に斜めに切り欠いたことを特徴とする喫食用具。
【請求項２】
円筒部の接続側端部の内側にネジ溝を設けたことを特徴とする請求項1の喫食用具。
【請求項３】
接続側の端部に食材を充填した袋が接続される筒状体を備えた喫食用具であって、
二以上の筒状体を収納した円筒部の先端部に皿状凹部を延設するとともに、
円筒部の外部で二以上の筒状体の接続側の端部同士が分離していることを特徴とする喫食用具。
【請求項４】
上記筒状体の接続側の端部の内側にネジ溝を設けたことを特徴とする請求項３記載の喫食用具。
【請求項５】
皿状凹部の周縁に、筒状体の開口部と連通する樋状溝を設けたことを特徴とする請求項３又は４記載の喫食用具。
【請求項６】
円筒部の外周面に載置用の突起を設けたことを特徴とする請求項1ないし請求項５のいずれかに記載の喫食用具。
【手続補正書】
【提出日】平成29年2月27日(2017.2.27)
【手続補正１】
【補正対象書類名】明細書
【補正対象項目名】００１３
【補正方法】変更
【補正の内容】
【００１３】
上記課題を解決するために本願では、円筒部の先端に皿状凹部を延設し、円筒部の内部に長尺方向に二以上の仕切りを設けるのである。また、食物を充填した袋の供給口に螺合させるネジ溝を円筒部の接続側端部の内側に形成するのである。
【手続補正２】
【補正対象書類名】明細書
【補正対象項目名】００１５
【補正方法】変更
【補正の内容】
【００１５】
円筒部底面に載置用突起部を設け、皿状凹部がテーブルなどの天板に接触しないようにするのである。
【手続補正３】
【補正対象書類名】明細書
【補正対象項目名】００１６
【補正方法】変更
【補正の内容】
【００１６】
二以上の筒状体を円筒部に収納し、一端は皿状凹部への供給口とし、各他端それぞれを食物充填袋に連結するのである。
【手続補正４】
【補正対象書類名】明細書
【補正対象項目名】００２１
【補正方法】変更
【補正の内容】
【００２１】
円筒部内に筒状体を複数収納して、縦方向の二層構造、又は横方向の二層、三層構造とすると、異なる食材、異なる状態（ペースト状、液状、粒状）の食材を同時に皿状凹部に押し出すことができる。例えば上方の筒状体からペースト状の刺身、下方の筒状体から粒状の酢飯を押し出し、皿上で二層に合体させることで、柔らかい寿司状の食物を食することができ、口に含んだときに食材本来の味や食感を楽しむことができ、食事の質の向上に資する。
【手続補正５】
【補正対象書類名】明細書
【補正対象項目名】００２３
【補正方法】変更
【補正の内容】
【００２３】
筒状体と円筒部、皿状凹部から構成されるため、取り付け容易且つ軽量コンパクトであるため、保管、持ち運びに便利である。長期保存の食品充填袋と共に保管すると災害時の非常食として有用である。
【手続補正６】
【補正対象書類名】明細書
【補正対象項目名】００２６
【補正方法】変更
【補正の内容】
【００２６】
図1は本発明の第一の実施形態に係る喫食用具１の斜視図であって、喫食用具１の一端はその外観において一般的なスプーン状凹部となっており、絞り出された食材が滞留する皿部２となる。皿部２は使用目的、すなわち大人用、幼児用、あるいは液状体、粒状体等食材の粘度等によってその大きさや深さが調整される。一方、皿部２から延設された円筒部３は食材が通過する場所であって、この実施形態において円筒部３内部は三つに仕切られている。円筒部３の皿部２側の端部は上方に向けて略楕円形状に斜めに切欠されており、供給口を広く設けてよりスムーズな食物の押し出しを可能とする。
【手続補正７】
【補正対象書類名】明細書
【補正対象項目名】００２７
【補正方法】変更
【補正の内容】
【００２７】
円筒部３の接続側の端部３aの内側面にはネジ溝が切られており、食材を充填した合成樹脂製の袋６の絞り出し口７に螺合させて取り付けることができる（図３）。
円筒部内部の仕切りは筒状であって、中央の筒状体５の左右に筒状体５の半分程度の径の筒状体４−４が形成されている。
【手続補正８】
【補正対象書類名】明細書
【補正対象項目名】００２８
【補正方法】変更
【補正の内容】
【００２８】
図３の食材を充填した袋６の絞り出し口７のキャップを外して開封後、本願の喫食用具１を取り付け、袋６を押圧して流動食を絞り出すと、流動食は円筒部内の仕切りに導かれて皿上に絞り出されてくる。大きな径の筒状体５から多めに絞り出された食材が左右の筒状体4-4から絞り出された食材に周囲を取り囲まれるようにして皿上に押し出されてくるため、一か所に滞ることなく所望量が均一且つスムーズに皿上に供給されるのである。
【手続補正９】
【補正対象書類名】明細書
【補正対象項目名】００３１
【補正方法】変更
【補正の内容】
【００３１】
この実施形態では円筒部内に筒状仕切りを設けているが、設けない場合であっても円筒部がガイドとなりまた、供給口を斜めに切り欠くことで食物を皿部にスムーズに押し出し滞留させることができるのである。
【手続補正１０】
【補正対象書類名】明細書
【補正対象項目名】００３３
【補正方法】変更
【補正の内容】
【００３３】
喫食用具の素材や、円筒部の大きさや皿部の大きさ、深さなど他の構成においても本願の趣旨を逸脱しない範囲で種々の変更が可能である。
【手続補正１１】
【補正対象書類名】明細書
【補正対象項目名】００３５
【補正方法】変更
【補正の内容】
【００３５】
喫食用具９は円筒部１０の先端部にスプーン状の皿部１１を延設し、円筒部１０内に二本の筒状体１２、１３を収納して成る。
円筒部１０では二本の筒状体１２、１３が上下二層に連結されており、筒状体１２、１３の皿部側端部１２a、１３aは密接した状態にある。一方、円筒部１０から突出した充填袋接続側の端部１２b、１３ｂは離間した状態にある。他端部１２b、１３bの内側面にはネジ溝が切られており、１２bを食物を充填した袋１４の供給口１４aに、１３bを袋１５の供給口１５aに螺合して取り付ける。
【手続補正１２】
【補正対象書類名】明細書
【補正対象項目名】００３６
【補正方法】変更
【補正の内容】
【００３６】
すなわち、この実施例においては完全に分離した状態の二本の筒状体が円筒部１０で連結した構成となっているのである。
【手続補正１３】
【補正対象書類名】明細書
【補正対象項目名】００３８
【補正方法】変更
【補正の内容】
【００３８】
このように、異なる粘度の異なる食材が食べる直前に皿上で合体することで、使用者は、上の歯でマグロの刺身を噛み切るような食感と味を楽しみ、下の歯や舌で酢飯の味や食感を楽しみ、あたかもマグロの寿司を食しているような感覚を楽しむことができるのである。あらかじめ、食器の中で混ぜられ味も食感も認識できないような状態だった流動食では得られなかった深い満足感を得ることができるのである。
【手続補正１４】
【補正対象書類名】明細書
【補正対象項目名】００４７
【補正方法】変更
【補正の内容】
【００４７】
１、９、喫食用具
２、皿部
２a、樋状溝
３、円筒部
４、５、筒状体
６、食材充填袋
７、供給口
８、突起